(57)【特許請求の範囲】
【請求項１】
脚体と、この脚体に座上下動機構を介して上下動可能に支持させた座支持部と、この座支持部に座前後動機構を介して前後動可能に支持させた座と、前記座支持部に支持させた背と、前記座の下方に配置した足掛けと、前記座上下動機構からは独立し、背を固定した状態で座の前後動に連動して前記足掛けを上下動させる連動機構とを備え、前記連動機構が座を後方に動かすことにより足掛けを上方に動かすものである椅子。
【請求項２】
前記連動機構が、基端部を座に回動可能に取り付けられ、先端部で足掛けを支持する足掛け支持リンクを備え、座の後方への移動に伴って前記足掛け支持リンクの基端部を後方に移動させるとともに、足掛け支持リンクの先端部を上方に向かって回動させるものである請求項１記載の椅子。
【請求項３】
前記連動機構が、基端部を座に回動可能に取り付けられ、その基端部から前下方に位置させた先端部で足掛けを支持する足掛け支持リンクと、この足掛け支持リンクの中間部と前記座支持部とを連結する連結リンクとを備え、座の後方への移動に伴わせて前記足掛け支持リンクと座とのなす角度を小さくし足掛けを上方に動かすものである請求項１記載の椅子。
【請求項４】
前記連動機構が、座の前後動に連動して前記足掛けを略鉛直に上下動させるものである請求項１、２又は３記載の椅子。
【請求項５】
座が着座面を有した着座部と、この着座部の下方に設けた座受けとを備えたものである請求項１、２、３又は４記載の椅子。
【請求項６】
前記座前後動機構が、座を前後の複数位置に段階的に変更させ得るものである請求項１、２、３、４又は５記載の椅子。
【請求項７】
前記連動機構が座の前後位置に連動させて足掛けの最下端位置を規定するものであり、外力による足掛けの上方への移動を禁止しないように構成している請求項１、２、３、４、５又は６記載の椅子。
【請求項８】
前記座上下動機構が、前記脚体から起立しロッドの突没によりその上下寸法を変更可能な１本のガスシリンダを利用して構成したものである請求項１、２、３、４、５、６又は７記載の椅子。
【請求項９】
前記座及び座支持部を脚体に対し水平旋回不能に規制する旋回規制機構をさらに備えた請求項８記載の椅子。
【請求項１０】
脚体が、ベースと、このベースから起立させた１本の脚支柱とを備えたものであり、この脚支柱が、前記ベースに取り付けた下支柱と、この下支柱に上下にスライド可能に嵌合し、上端部で前記座支持部を固定支持する上支柱とからなるものであって、前記座上下動機構が、脚支柱に内蔵させたガスシリンダにより、前記上支柱を上下動させるように構成したものであり、前記旋回規制機構が、前記上支柱と下支柱との回転を規制するものである請求項９記載の椅子。
【請求項１１】
足掛けの下端が、前記ベースの上端よりも下まで下降し得るように構成している請求項１０記載の椅子。
【発明の詳細な説明】
【０００１】
【発明の属する技術分野】
本発明は、足掛けを有し体格の違い等に応じて、机等の天板面と着座面との離間寸法、着座面と足掛けとの離間寸法、座の奥行きを変化させることの可能な椅子に関するものである。
【０００２】
【従来の技術】
適切な作業姿勢を提供するには、机等の天板面と着座面との離間寸法、着座面と足掛けとの離間寸法、座の実質的な奥行き寸法の３つの値を体格に合わせて適切なものとすることが望ましい。そしてそのために従来、これら３つの値を全て連動させるようにしたものが開発されている。このものは、例えば体格の小さい者が天板面と着座面との上下離間寸法を適切なものとすべく、着座面を上昇させた場合に、足掛けも上昇して着座面と足掛けとの離間寸法を小さくするとともに、背を前方に移動させて座に近づけ、座の実質的な奥行き寸法をも小さくして、前記３つの値を自動的にその体格にあったものにするものである。
【０００３】
【発明が解決しようとする課題】
しかしながら、上述した構成であると、特定の天板面高さを有した机に対しては前記各３つの値が体格に合ったものとなるが、異なる天板面高さを有する机に対しては対応できず、例えば、天板面と着座面との上下離間寸法を適切なものにした場合に、他の２つの値、すなわち着座面と足掛けとの離間寸法及び座の実質的な奥行き寸法が、着座者の体格にそぐわなくなる懼れが大きくなる。かといって、前記３つの値を全て独立して変えられるようにしたのでは、調整に非常に手間のかかるものとなる。
【０００４】
また、従来のこの種のものは、座の実質的な奥行き寸法を調整するために背を座に対して前後させているため、前記奥行き寸法に応じて着座者の重心が前後に異なったものとなりやすく、例えば座上下動のために脚支柱に１本のガスシリンダを利用したものにおいては、ガスシリンダにこぜる力が作用して上下動がスムーズにいかなくなったり、製品寿命が短くなったりする場合がある。
【０００５】
そこで本発明は、上述した不具合を一挙に解決すべく、着座面−足掛け間上下寸法と座の実質的な奥行き寸法とは連動するように構成し、これとは独立して天板面−着座面間上下寸法を調整できるように構成するとともに、座の実質的な奥行き寸法を背を固定した状態で座を前後動させるようにしたものである。
【０００６】
【課題を解決するための手段】
すなわち本発明に係る椅子は、脚体と、この脚体に座上下動機構を介して上下動可能に支持させた座支持部と、この座支持部に座前後動機構を介して前後動可能に支持させた座と、前記座支持部に支持させた背と、前記座の下方に配置した足掛けと、前記座上下動機構からは独立し、背を固定した状態で座の前後動に連動して前記足掛けを上下動させる連動機構とを備え、前記連動機構が座を後方に動かすことにより足掛けを上方に動かすものであることを特徴とする。
【０００７】
ここで、座の前後動とは、少なくとも座が前後方向成分を含む動きをすることを言い、足掛けの上下動とは、少なくとも足掛けが上下方向成分を含む動きをすることを言う。
【０００８】
しかしてこのようなものであれば、座を独立して上下動させることができるので、異なる天板面高さを有する机に対して、天板面と着座面との上下離間寸法を適切なものにしつつ、他の２つの値、すなわち着座面と足掛けとの離間寸法及び座の実質的な奥行き寸法を、着座者の体格に合わせたものとすることができる。また、着座面と足掛けとの離間寸法及び座の実質的な奥行き寸法の調整は、連動機構によって一の操作で行うことができるので、前記３つの値を全て独立して変えられるようにしたものとは異なり、調整の手間を省くことができる。さらに、座の実質的な奥行き寸法を調整するために座が前後するようにしているため、着座者の重心の位置が変化しにくく、例えば座上下動のために脚支柱に１本のガスシリンダを利用したものにおいてそのガスシリンダにこぜる力が作用しにくくなり、座の上下動を無理なく円滑に行えたり製品寿命を無用に縮めたりすることがない。
【０００９】
簡単な構成での実現が可能な連動機構の実施態様としては、前記連動機構が、基端部を座に回動可能に取り付けられ、その基端部から前下方に位置させた先端部で足掛けを支持する足掛け支持リンクと、この足掛け支持リンクの中間部と前記座支持部とを連結する連結リンクとを備え、座の後方への移動に伴わせて前記足掛け支持リンクと座とのなす角度を小さくし足掛けを上方に動かすものを挙げることができる。
【００１０】
座前後動機構を無理なく設けるためには、前記座を、着座面を有した着座部と、この着座部の下方に設けた座受けとを備えたものとし、この座受けと前記座支持部との間に座前後動機構を設けることが好ましい。
【００１１】
使い勝手の点で好ましい具体的な実施態様としては、前記座前後動機構が、座を前後の複数位置に段階的に変更させ得るものを挙げることができる。
【００１２】
足掛けに移動自由性を与え、安全性等の点でより好ましいものとするには、前記連動機構が座の前後位置に連動させて足掛けの最下端位置を規定するものであり、外力による足掛けの上方への移動を禁止しないように構成しているものが好適である。
【００１３】
本発明を適用して好適な具体的実施形態としては、前記座上下動機構が、前記脚体から起立しロッドの突没によりその上下寸法を変更可能な１本のガスシリンダを利用して構成したものを挙げることができる。
【００１４】
また、足掛けと脚体との干渉を防止するには、前記座及び座支持部を脚体に対し水平旋回不能に規制する旋回規制機構をさらに備えたものが好ましい。
【００１５】
具体的には、脚体が、ベースと、このベースから起立させた１本の脚支柱とを備えたものであり、この脚支柱が、前記ベースに取り付けた下支柱と、この下支柱に上下にスライド可能に嵌合し、上端部で前記座支持部を固定支持する上支柱とからなるものであって、前記座上下動機構が、脚支柱に内蔵させたガスシリンダにより、前記上支柱を上下動させるように構成したものであり、前記旋回規制機構が、前記上支柱と下支柱との回転を規制するものを挙げることができる。
【００１６】
このような構成に場合、足掛けの下端が、前記ベースの上端よりも下まで下降し得るように構成して、いかなる場合も足掛けが脚体に干渉しないようにすることが可能になる。
【００１７】
【発明の実施の形態】
以下に本発明の一実施形態について図１〜図６を参照して説明する。
【００１８】
本実施形態に係る椅子は、図１〜図３に示すように、脚体１と、この脚体１に座上下動機構６を介して上下動可能に支持させた座支持部４と、この座支持部４に座前後動機構７を介して前後動可能に支持させた座２と、前記座支持部４に支持させた背３と、前記座２の下方に配置した足掛け５と、前記座上下動機構６からは独立し、座２の前後動のみに連動して前記足掛け５を上下動させる連動機構８とを備えたものである。
【００１９】
各部を詳述する。
【００２０】
脚体１は、四方に放射状に延びる脚羽根状をなすベース１１と、その先端に取り付けられたキャスタ１２と、前記ベース１１の中央部から起立させた上下寸法を変更可能な１本の脚支柱１３とを備えたものであり、前記脚支柱１３は、ベース１１に取り付けた下支柱１４と、この下支柱１４の内周又は外周に上方から上下にスライド可能に嵌合させた上支柱１５とからなるものである。本実施形態では、下支柱１４の内周が断面多角形状（図では例えば六角形状）をなし、その下支柱１４の内周に隙間無く嵌合する上支柱１５の外周断面形状が、前記下支柱１４の内周断面形状に対応して多角形状（六角形状）のものとなるようにしている。そして下支柱１４の内周面と上支柱１５の外周面との嵌合により、上支柱１５と下支柱１４との回転を規制し、ひいては前記上支柱１５の上端部に支持させた座支持部４及び座２を脚体１に対して水平旋回不能に規制する旋回規制機構を構成している。
【００２１】
座上下動機構６は、本体６１ｂとこの本体６１ｂに突没可能に嵌め入れられたロッド６１ａとを備えたガスシリンダ６１を利用してなるものであり、前記本体６１ｂ側を下にして前記脚支柱１３に１本が内蔵させてある。そして、上支柱１４の上端部から略側方に突出させた上下動操作アーム６２の上下動操作により、ロッド６１ａを突没させ、前記上支柱１５を介してその上端部に取り付けた座支持部４を上下動させるようにしたものである。
【００２２】
座支持部４は、前記脚支柱１３の上端部に固定した少なくとも上方に開口する扁平箱形をなす金属製のものである。
【００２３】
座２は、クッションやカバー等を含み上面を着座面２ａとする着座部２１と、この着座部２１の下面に固定されて当該着座部２１を支持する座受け２２とを備えたものである。この座受け２２は、少なくとも前方及び下方に開口し前記座支持部４よりも前後寸法の大きい扁平箱形をなす金属製のものである。そして、着座面２ａの高さを後方にいくに連れ徐々に下がるようにすべく、例えばその上面の高さが後方にいくに連れ徐々に下がるように側面視台形状をなすように構成してある。
【００２４】
座前後動機構７は、座受け２２と座支持部４との間に形成され、座２を、その後端が背３の後端と略同一又はそれより前方に設定した後位置（図１に示す）と、その前端が足掛け５の前端と略同一又はそれより後方に設定した前位置（図４に示す）との間で前後スライド可能に支持するものである。具体的には、前記座受け２２又は座支持部４のいずれか一方に設けた前後に延びるレール溝７１に、他方に設けたレール部７２を嵌め合わせてなるものであり、本実施形態では図５に示すように、座支持部４の各側板４１内面に、内側方に向かって開口するレール溝７１を有したブロック体４２をそれぞれ固定するとともに、座受け２２の各側板２２１下端縁から外側方に一体に屈曲させてレール部７２を形成し、前記レール溝７１にレール部７２が内方から嵌まり込んで前後にスライド可能となるようにしている。
【００２５】
さらに本実施形態では、この座前後動機構７に、座２を前後の複数位置に段階的に変更させ得る段階固定構造９を具備させている。この段階固定構造９は、図１、図５、図６に示すように、座受け２２又は座支持部４のいずれか一方に設けた前後方向に間欠的に並ぶ複数の係合凹部９１と、他方に設けられ前記係合凹部９１に係脱可能な係合凸部９２とからなり、係合凸部９２を係合凹部９１に嵌め込んだその位置で座２を前後動不能にロックするものである。具体的には、左右一対の係合凸部９２を座受け２２から下方に向かって突出させるとともに、座支持部４、具体的には前記ブロック体４２に上方に開口する前記係合凹部９１を左右に対称にかつ前後に複数形成して、係合凸部９２をいずれかの係合凹部９１にその上部開口を介して係脱可能に構成している。この係合凸部９２は、後述する操作部支持アーム９４の中間部位に固定した略鉛直に垂下する取付体９５に一体に設けたものであって、前記取付体９５の下端から屈曲して外側方に延びる棒状をなし、前記係合凹部９１に係合可能な係合位置と、前記係合凹部９１よりも上方に位置して座２のスライドを妨げない非係合位置との間で上下動可能に構成してある。しかしてその上下動は、座２の前端下方に位置させた座前後動操作部９３の上下動操作によって行うようにしてある。
【００２６】
この座前後動操作部９３は、座受け２２の前方開口から突出し、座２の前端部中央下方に位置づけた舌状をなすものであり、その後端部を、座受け２２内に配置されて後方に延びる操作部支持アーム９４の先端部に固定してある。そしてこの操作部支持アーム９４の後端部を、座受け２２に設けた左右水平に延びる回動軸Ｓ周りに回動可能に取り付けることにより、前記座前後動操作部９３を上下操作すると操作部支持アーム９４が上下に回動し、係合凸部９２が前記係合位置と非係合位置との間で上下動するように構成している。なお、図中符号９６は、前記座前後動操作部９３及び係合凸部９２を下方、すなわち前記係合位置側に向かって付勢する弾性体たる板バネである。
【００２７】
背３は、クッションやカバー等を有し前面を背もたれ面３ａとする背本体３１と、この背本体３１を支持する背支桿３２とを備えたものである。背支桿３２は、座支持部４の前縁に固定された左右に延びる固定部３２１と、この固定部３２１の両端から一体に湾曲して後方に延び、座２の後端部から上方に立ち上がって背本体３１の両側縁をそれぞれ支持する一対の背本体支持部３２２とからなる金属棒を一体に湾曲形成してなるものである。この背３は、背支桿３２の撓みにより弾性傾動可能ではあるものの、座支持部４に対して移動不能に固定してある。
【００２８】
足掛け５は、座２の前端部下方に概略位置させた左右に延びる棒状のものであり、後述する足掛け支持リンク８１を介して座受け２２に取り付けてある。
【００２９】
連動機構８は、基端部を前記座受け２２の後端部に回動可能に取り付けられ、先端部で前記足掛け５を支持する足掛け支持リンク８１と、一端部を座支持部４に回動可能に取り付けられ、他端部を足掛け支持リンク８１の中間部に回動可能に取り付けられた連結リンク８２とを備えたものである。
【００３０】
詳述すると、足掛け支持リンク８１は、例えば断面輪郭が円形をなすもので、左右に一対が設けてある。そしてそれらの各基端部を、座受け２２の後端部の左右に亘って水平に延伸するように取り付けられた第１回動軸Ｓ１の両端部にそれぞれ支持させてある。またこのものは、前記基端部から前下方に延び、途中から外側方に膨らんで先端に至る。そして各先端を前記足掛け５を支持すべく当該足掛け５の両端に一体に連続させている。
【００３１】
連結リンク８２は、例えば長尺板状をなすもので、左右に一対が設けてある。そして各一端部（上端部）を、前記第１回動軸Ｓ１より前方に設定した左右水平に延びる第２回動軸Ｓ２を介して、座支持部４の側板４１外側に回動可能に支持させている。また各他端部（下端部）を、左右水平に延びる第３回動軸Ｓ３を介して、足掛け支持リンク８１の中間部内側に回動可能に支持させている。
【００３２】
なお本実施形態において、第３回動軸Ｓ３を貫通させるために、連結リンク８２の他端部に設けられた貫通孔８２１は、その長手方向に沿って延伸する長孔状のものであり、第３回動軸Ｓ３をその貫通孔８２１に沿ってスライドさせることも可能なように構成してある。
【００３３】
このように構成した本実施形態に係る椅子の動作を以下に説明する。
【００３４】
座２の奥行き及び足掛け５の高さを変更するには、まず座前後動操作部９３を上方に引き上げる。このことにより、係合凸部９２が非係合位置に引き上げられ、座２が前後にスライド可能になる。
【００３５】
この状態で、例えば体格の小さい者が着座すべく、座２を背３に近づけて実質的な奥行きが小さくなるように後方に動かすと、第１回動軸Ｓ１も後方に移動して足掛け支持リンク８１の基端部を後方に移動させる。その一方、足掛け支持リンク８１の中間部は、連結リンク８２を介して座支持部４に連結されているため、この足掛け支持リンク８１は、前記第１回動軸Ｓ１を中心に座２とのなす角度を小さくするように、すなわちその先端部を上方に移動させるように回動しつつ、後方に移動することとなる。
【００３６】
このように、体格の小さい者が着座すべく、座２を背３に近づけて実質的な奥行きが小さくなるように後方に動かすと、足掛け５が上方に持ち上がって、座２と足掛け５との上下離間寸法を小さくすることとなる。
【００３７】
一方、体格の大きい者が着座すべく、座２を背３から遠ざけてその実質的な奥行きが大きくなるように前方に動かすと、前述と逆の動作が営まれて足掛け５が下降し、座２と足掛け５との上下離間寸法を大きくすることとなる。本実施形態では、図１に示すように、足掛け５が脚羽根間に位置して、その下端が前記ベース１１の上端よりも下まで下降し得るように構成している。
【００３８】
そして所望の状態になったところで、座前後動操作部９３の操作を止めると、前記弾性体９６により係合凸部９２が係合位置に向かって付勢され、係合凹部９１に係合して座２を前後動不能にロックする。この状態では、連動機構８により足掛け５は下方へは動き得ないが、例えば蹴り上げられるなどして上方への外力が作用すると、前記連結リンク８２に設けられた長孔状貫通孔８２１に沿って第３回動軸Ｓ３及び足掛け支持リンク８１がスライドし、貫通孔８２１の長さで規定される所定範囲内での足掛け５及び足掛け支持リンク８１の上方への移動を許容する。
【００３９】
一方、前記上下動操作アーム６２の上下動操作により、前記連動機構８の動作とは全く独立して座２を上下動させることができる。
【００４０】
したがってこのようなものであれば、座２を独立して上下動させることができるので、異なる天板面高さを有する机に対して、天板面と着座面２ａとの上下離間寸法を適切なものにしつつ、他の２つの値、すなわち着座面２ａと足掛け５との離間寸法及び座２の実質的な奥行き寸法を、着座者の体格に合わせたものとすることができる。また、着座面２ａと足掛け５との離間寸法及び座２の実質的な奥行き寸法の調整は、連動機構８によって一の操作で行うことができるので、前記３つの値を全て独立して変えられるようにしたものとは異なり、調整の手間を省くことができる。さらに、座２の実質的な奥行き寸法を調整するために座２が前後するようにしているため、着座者の重心の位置が変化しにくい。したがって、ガスシリンダ６１にこぜる力が作用しにくくなって、座２の上下動を無理なく円滑に行え製品寿命を無用に縮めたりすることがない。
【００４１】
特に本実施形態では、座２が後方に移動するに連れ、その座２に支持された足掛け支持リンク８１が上方へ回動移動するようにしている。しかして、足掛け５の前後位置に着目すると、足掛け支持リンク８１の上方への回動移動により足掛け５は前方にも移動する一方、座２の後方への移動に伴って足掛け支持リンク８１は後方に移動し、それとともに足掛け５も後方に移動するため、これらが相殺して、足掛け５は略鉛直に上下動することとなる。したがって、この足掛け５の移動により無用に椅子の占有面積が増えることがないという効果をも奏し得る。
【００４２】
さらにこれと合わせて、座２の前後動範囲も、その後端が背３の後端と略同一又はそれより前方に設定した後位置と、その前端が足掛け５の前端と略同一又はそれより後方に設定した後位置との間に規定してあるので、この座２の移動によりやはり無用に椅子の占有面積が増えることがないという効果を奏し得る。
【００４３】
また、前記座及び座支持部を脚体に対し水平旋回不能に規制する旋回規制機構を備えているので、足掛けの下端が、前記ベースの上端よりも下まで下降し得るように構成して、いかなる場合も足掛けが脚体に干渉しないようにすることが可能になる。
【００４４】
なお、本発明は上記実施形態に限られるものではない。
【００４５】
例えば、連動機構としては、上述したリンク機構に限られず、シリンダ等を利用したものでもよい。また座前後動機構は、段階的に座の前後位置を定めるものに限られず、自在な位置に調整及び固定可能な構造としてもよい。さらに下支柱と上支柱の嵌合部分における断面形状を三角形や四角形のものとしたり、各嵌合面に上下に延伸する突条と溝とを設け、これらを係合させることにより旋回規制機構を構成しても構わない。もちろん、各操作部の形状や位置等も変更可能であるのは言うまでもない。
【００４６】
その他本発明は上記各図示例に限られず、その趣旨を逸脱しない範囲で種々変形が可能であるのは言うまでもない。
【００４７】
【発明の効果】
以上に詳述したように、本発明によれば座を独立して上下動させることができるので、異なる天板面高さを有する机に対して、天板面と着座面との上下離間寸法を適切なものにしつつ、他の２つの値、すなわち着座面と足掛けとの離間寸法及び座の実質的な奥行き寸法を、着座者の体格に合わせたものとすることができる。また、着座面と足掛けとの離間寸法及び座の実質的な奥行き寸法の調整を、連動機構によって一の操作で行うことができるので、前記３つの値を全て独立して変えられるようにしたものとは異なり、調整の手間を省くことができる。さらに、座の実質的な奥行き寸法を調整するために座を前後させているため、前記奥行き寸法の調整を行っても着座者の重心の位置が変化しにく。したがって、例えば座上下動のために脚支柱に１本のガススプリングを利用したものにおいてそのガススプリングにこぜる力が作用しにくくなり、座の上下動を無理なく円滑に行えたり製品寿命を無用に縮めたりすることがない。
【図面の簡単な説明】
【図１】本発明の一実施形態における椅子の側面図。
【図２】同実施形態における椅子の正面図。
【図３】同実施形態における椅子の底面図。
【図４】同実施形態における椅子の足掛けを動かした状態を示す側面図。
【図５】図１におけるＡ部を示す部分正断面図。
【図６】同実施形態における座受け等を示す部分側断面図。
【符号の説明】
１・・・脚体
１１・・・ベース
２・・・座
２１・・・着座部
２２・・・座受け
３・・・背
４・・・座支持部
５・・・足掛け
６・・・座上下動機構
６１・・・ガスシリンダ
７・・・座前後動機構
８・・・連動機構
８１・・・足掛け支持リンク
８２・・・連結リンク
【図１】
0004081520.tif 000002
【図２】
0004081520.tif 000003
【図３】
0004081520.tif 000004
【図４】
0004081520.tif 000005
【図５】
0004081520.tif 000006
【図６】
0004081520.tif 000007